(57)【特許請求の範囲】
【請求項１】
箱形の室内機の底面を覆う段ボール製の底面材と、前記室内機の天面を覆う段ボール製の天面材と、前記室内機の短手側の端面を覆う段ボール製の一対の梱包パッドとを備え、梱包済みの室内機を上下に段積みする場合の圧縮方向荷重を前記室内機が受け、落下強度を前記梱包パッドが受けるように構成し、
前記段ボール製の梱包パッドが、前記室内機の短手側の端面に沿って延びる端面パッド部と、この端面パッド部の両端に一体的に連なり、前記室内機の長手側の側面に沿って延びる一対の側面パッド部とを備え、この側面パッド部及び前記端面パッド部が、それぞれ横目段ボール紙で形成され、
前記梱包パッドの側面パッド部が、前記室内機の長手側の側面に接触する基部と、この基部に一体的に連なり、前記室内機の短手側の端面よりも外側に突出した延長部とを備え、この延長部に把手孔が形成されていることを特徴とする室内機の梱包装置。
【請求項２】
前記梱包パッドの端面パッド部、及び／又は前記側面パッド部の少なくとも延長部が、二重段ボール紙で形成されていることを特徴とする請求項１記載の室内機の梱包装置。
【請求項３】
前記梱包パッドが一枚の段ボール紙を折り曲げて形成されていることを特徴とする請求項１または請求項２記載の室内機の梱包装置。
【請求項４】
前記室内機の短手側の端面に、前記梱包パッドの端面パッド部を保持する保持部が形成されていることを特徴とする請求項１乃至３のいずれか一項記載の室内機の梱包装置。
【請求項５】
前記梱包パッドにおける側面パッド部の基部の下面隅部に、略曲線状の切り欠き部が形成されていることを特徴とする請求項１乃至４のいずれか一項記載の室内機の梱包装置。
【発明の詳細な説明】
【０００１】
【発明の属する技術分野】
本発明は、いわゆる発泡スチロールレス、木材レスであって、段ボール紙だけを使用した室内機の梱包装置に関する。
【０００２】
【従来の技術】
従来、天井埋込型空気調和機等では、室内機が大きくその重量が重いため、工場出荷時の室内機の梱包には、高い梱包強度が要求されている。
【０００３】
この梱包強度には、複数台の室内機を上下に段積みした場合の圧縮方向荷重を受けるための強度と、落下試験時に、稜と角において、室内機に破損が発生しない程度の落下衝撃に対する強度とがある。
【０００４】
これらの強度を満足させるため、従来では、梱包材として、例えば木材や発泡スチロール等を使用していたが、この場合、使用後の木材や発泡スチロール等の回収、処理が困難であり、近年では、いわゆる発泡スチロールレス、木材レスの、段ボールだけの梱包装置が提案されている。
【０００５】
【発明が解決しようとする課題】
しかし、従来の段ボールだけの梱包装置では、大きさが大きく、重量の重い室内機にあっては、十分な梱包強度が得られないという問題がある。
【０００６】
そこで、本発明の目的は、上述した従来の技術が有する問題点を解消し、例えば、大きさが大きく、重量の重い室内機にあっても、十分な梱包強度を得ることができる、いわゆる発泡スチロールレス、木材レスの、段ボールだけの室内機の梱包装置を提供することにある。
【０００７】
【課題を解決するための手段】
請求項１記載の発明は、箱形の室内機の底面を覆う段ボール製の底面材と、前記室内機の天面を覆う段ボール製の天面材と、前記室内機の短手側の端面を覆う段ボール製の一対の梱包パッドとを備え、梱包済みの室内機を上下に段積みする場合の圧縮方向荷重を前記室内機が受け、落下強度を前記梱包パッドが受けるように構成し、前記段ボール製の梱包パッドが、前記室内機の短手側の端面に沿って延びる端面パッド部と、この端面パッド部の両端に一体的に連なり、前記室内機の長手側の側面に沿って延びる一対の側面パッド部とを備え、この側面パッド部及び前記端面パッド部が、それぞれ横目段ボール紙で形成され、前記梱包パッドの側面パッド部が、前記室内機の長手側の側面に接触する基部と、この基部に一体的に連なり、前記室内機の短手側の端面よりも外側に突出した延長部とを備え、この延長部に把手孔が形成されていることを特徴とする。
【０００８】
請求項２記載の発明は、請求項１記載のものにおいて、前記梱包パッドの端面パッド部、及び／又は前記側面パッド部の少なくとも延長部が、二重段ボール紙で形成されていることを特徴とする。
【０００９】
請求項３記載の発明は、請求項１または２記載のものにおいて、前記梱包パッドが一枚の段ボール紙を折り曲げて形成されていることを特徴とする。
【００１０】
請求項４記載の発明は、請求項１乃至３のいずれか一項記載のものにおいて、前記室内機の短手側の端面に、前記梱包パッドの端面パッド部を保持する保持部が形成されていることを特徴とする。
【００１１】
請求項５記載の発明は、請求項１乃至４のいずれか一項記載のものにおいて、前記梱包パッドにおける側面パッド部の基部の下面隅部に、略曲線状の切り欠き部が形成されていることを特徴とする。
【００１４】
【発明の実施の形態】
以下、本発明の一実施の形態を添付図面に従って説明する。
【００１５】
図１は、２つの空気吹出し口を備えた、一般的に、いわゆる２方向カセットと呼称される天井埋込型空気調和機における室内機の梱包装置を示している。図１において、１は箱形の室内機本体を示し、この室内機本体１には、送風機３、電装箱５、発泡スチロール製のドレンパン７、図示を省略した重量の重い熱交換器、ドレンポンプ等の各種機器類が収納されている。
【００１６】
この室内機本体１は、被調和室の天井に複数本の吊りボルト（図示せず）を介して吊り下げられるが、この場合、図１中での上方が室内側に向くように吊り下げられ、この室内機本体１の下側を向いた開口面には、図示を省略した化粧パネルが重ね合わせて取り付けられる。
【００１７】
本実施形態による室内機の梱包装置は、箱形の室内機本体１の底面（実際の天井設置の段階では天面となるが、説明の便宜上、以下、底面という。）１Ａを覆う段ボール製の底面材１１と、室内機本体１の天面（実際の天井設置の段階では下面となるが、説明の便宜上、以下、天面という。）１Ｂを覆う段ボール製の天面材１３と、室内機本体１の短手側の端面１Ｃを覆う段ボール製の一対の梱包パッド２１とを備えて構成されている。
【００１８】
この段ボール製の梱包パッド２１は、室内機本体１の短手側の端面１Ｃに沿って延びる端面パッド部２１Ａと、この端面パッド部２１Ａの両端に一体的に連なり、室内機本体１の長手側の側面１Ｄに沿って延びる一対の側面パッド部２１Ｂとを備えて構成されている。
【００１９】
そして、この側面パッド部２１Ｂは、長手側の側面１Ｄに接触する基部２１Ｃと、この基部２１Ｃに一体的に連なり、室内機１の短手側の端面１Ｃよりも外側に突出した延長部２１Ｄとを備えて構成され、この延長部２１Ｄの上部には把手孔２１Ｅが形成されている。
【００２０】
この側面パッド部２１Ｂ、及び端面パッド部２１Ａは、それぞれ段ボール製であり、この段ボールの目は、図示のように略水平に延出しており、いわゆる横目段ボール紙で形成されている。
【００２１】
この梱包パッド２１は、一枚の段ボール紙を折り曲げて形成されており、図示の例では、端面パッド部２１Ａと、側面パッド部２１Ｂの延長部２１Ｄとが、二重になるように折り曲げ形成されている。梱包パッド２１の強度を増すためであるが、これに限定されず、例えば梱包パッド２１のすべてを二重段ボールになるように折り曲げ形成してもよい。
【００２２】
室内機本体１の天面１Ｂには、室内機本体１の端面１Ｃから外側に張り出すように一対のフランジ（保持部）２３が取り付けられ、このフランジ２３には爪部２３Ａが形成されている。そして、室内機本体１の端面１Ｃに梱包パッド２１を取り付ける場合、フランジ２３の爪部２３Ａの内側に、梱包パッド２１の端面パッド部２１Ａの上縁部が挿入される。
【００２３】
また、側面パッド部２１Ｂの基部２１Ｃの下面隅部には、略曲線状の切り欠き部２１Ｆが形成されている。
【００２４】
この室内機本体１は以下の手順で梱包される。
【００２５】
工場梱包ラインでは、まず、コンベア上に一枚の段ボール紙Ａが敷かれ、この段ボール紙Ａの四辺が、予め形成された折り線Ｂに沿って折り曲げられ、四個所をステープル打ちして箱形の底面材１１が形成される。この場合、段ボール紙Ａは梱包工程でパレット代わりに利用される。
【００２６】
つぎに、図２に示すように、室内機本体１の両端面１Ｃに、それぞれ梱包パッド２１が取り付けられる。
【００２７】
この場合、まず、フランジ２３の爪部２３Ａの内側に、端面パッド部２１Ａの上縁が挿入され、ついで、室内機本体１の両端面１Ｃに、端面パッド部２１Ａの全部が当接するまで、梱包パッド２１が図１中の矢印Ａで示す方向に回転されて取り付けられる。このとき、側面パッド部２１Ｂの基部２１Ｃの下面隅部には、略曲線状の切り欠き部２１Ｆが形成されているため、この梱包パッド２１の回転作業が容易になる。ついで、梱包パッド２１に形成された把手孔２１Ｅに手を掛け、それを持ち上げて、梱包パッド２１毎、箱形の底面材１１の中に挿入する。
【００２８】
このとき、ポリエチレン製の袋２５が、梱包パッド２１を覆うようにして、室内機本体１に被せられている。
【００２９】
本実施形態では、フランジ２３の爪部２３Ａの内側に、端面パッド部２１Ａの上縁が挿入されているため、この梱包パッド２１に手を掛けて、室内機本体１を簡単に持ち上げることができる。
【００３０】
従って、梱包時には、箱形の底面材１１の中に室内機本体１を簡単に挿入することができるし、開梱時には、同様の作業によって箱形の底面材１１の中から室内機本体１を簡単に取り出すことができる。
【００３１】
最後に、室内機本体１の天面１Ｂに、室内機本体１と梱包パッド２１のすべてを覆うように段ボール製の箱形の天面材１３が被せられ、天面材１３と室内機本体１と底面材１１とが、高い強度を持つ室内機本体１の両端側で、結束用ＰＰバンド３１によって一体的に結束される。
【００３２】
上記の構成では、梱包完了時に、梱包パッド２１の把手孔２１Ｅの上縁部と、天面材１３の下縁部とが一致する。
【００３３】
これによると、把手孔２１Ｅに手を掛け、室内機を持ち上げる場合、把手孔２１Ｅの上縁部と、天面材１３の下縁部とが重なり合って、二重段ボールとなるため、把手の強度を増大させることができる。
【００３４】
本実施形態では、例えば倉庫内等で、梱包済みの複数台の室内機本体１を、上下方向に段積みした場合、圧縮方向の荷重は、各梱包内の室内機本体１が受ける。フランジ２３の爪部２３Ａの内側に、端面パッド部２１Ａの上縁が挿入されているため、圧縮方向荷重は、梱包パッド２１に作用することがなく、室内機本体１に作用するからである。よって、段積みの台数が増し、圧縮方向荷重が大きくなっても、それが梱包パッド２１に作用せず、室内機本体１のみに作用するため、十分な梱包強度を得ることができる。
【００３５】
一方、落下試験時には、梱包済みの室内機本体１を、当該室内機本体１の稜と角を下にして落下させる。この場合、室内機本体１の稜と角に相当する部位には、梱包パッド２１の隅部、すなわち端面パッド部２１Ａと側面パッド部２１Ｂとの連結部が位置し、この連結部は二重段ボールであり、しかも端面パッド部２１Ａと側面パッド部２１Ｂは、横目段ボールである。そのため、梱包パッド２１の隅部は十分な強度を備え、室内機本体１に破損が発生しない程度の落下衝撃に対する十分な強度を得ることができる。
【００３６】
以上、一実施の形態に基づいて本発明を説明したが、本発明は、これに限定されるものでないことは明らかである。
【００３７】
【発明の効果】
本発明では、いわゆる発泡スチロールレス、木材レスの、段ボールだけを使用した梱包装置において、大きさが大きく、重量の重い室内機にあっても、十分な梱包強度を得ることができる。
【図面の簡単な説明】
【図１】本発明による室内機の梱包装置の一実施形態を示す分解斜視図である。
【図２】梱包手順を説明するための斜視図である。
【符号の説明】
１  室内機本体
１１  底面材
１３  天面材
２１  梱包パッド
２１Ａ  端面パッド部
２１Ｂ  側面パッド部
２１Ｃ  基部
２１Ｄ  延長部
２１Ｅ  把手孔
２３  フランジ（保持部）
２３Ａ  爪部
【図１】
0003904461.tif 000002
【図２】
0003904461.tif 000003